(57)【要約】【課題】簡単かつそれに伴う低コストな構成にもかかわらず、特に空間的に困難ないし狭隘な状況のもとで封止されるべき継目の幅が変化しているときでも、いっそう改善された取扱性と同時に最善の封止作用を発揮する、特に家屋建築における継目を閉止、封止、接着するための粘着テープを提供する。【解決手段】粘着テープは、特に家屋建築における継目、特にコーナーやエッジの継目を閉止、封止、接着するためのものであり、テープ上面にある支持層（１）と、テープ下面にある、支持層（１）の少なくとも一部の粘着剤コーティング（２）と、テープ下面にある、粘着剤コーティング（２）の剥離可能なカバーフィルム（３）とを備える。このテープは、少なくとも一方の縁部領域に少なくとも１つの目打ち領域（４）を有しており、そこでは少なくとも支持層（１）が目打ちされており、このテープは少なくとも１つの予備伸張部（Ｄ）を有している。【選択図】図１
2007138164.tif 000002
【特許請求の範囲】
【請求項１】
テープ上面にある支持層（１）と、テープ下面にある、前記支持層（１）の少なくとも一部の粘着剤コーティング（２）と、テープ下面にある、前記粘着剤コーティング（２）の剥離可能なカバーフィルム（３）とを備える、特に家屋建築における継目、特にコーナーやエッジの継目を閉止、封止、接着するための粘着テープにおいて、前記テープは少なくとも一方の縁部領域に少なくとも１つの目打ち領域（４）を有しており、そこでは少なくとも前記支持層（１）が目打ちされており、前記テープは少なくとも１つの予備伸張部（Ｄ）を有していることを特徴とする粘着テープ。
【請求項２】
前記予備伸張部（Ｄ）は前記テープの横方向で前記目打ち領域（４）から間隔をおいている、請求項１に記載のテープ。
【請求項３】
前記予備伸張部（Ｄ）は前記テープの横方向で見て実質的に中央に配置されている、請求項１または２に記載のテープ。
【請求項４】
前記予備伸張部（Ｄ）は前記テープの少なくとも１つのＺ状折畳み部であり、有利には前記テープのプリーティングである、請求項１から３のいずれかに記載のテープ。
【請求項５】
前記テープの前記目打ち領域（４）は少なくとも３ミリの平均直径をもつ目打ち開口部（５）を有している、請求項１から４のいずれかに記載のテープ。
【請求項６】
前記目打ち開口部（５）は、前記支持層（１）、前記粘着剤コーティング（２）、および剥離可能な前記カバーフィルム（３）を貫いている、請求項５に記載のテープ。
【請求項７】
前記目打ち開口部（５）は実質的に円形、方形、または楕円形である、請求項５または６に記載のテープ。
【請求項８】
前記支持層（１）の少なくとも一部の粘着剤コーティング（６）がテープ上面に設けられており、有利にはテープ上面の前記粘着剤コーティング（６）の剥離可能なカバーフィルム（７）とともに設けられている、請求項１から７のいずれかに記載のテープ。
【請求項９】
テープ上面にある、前記支持層（１）の少なくとも一部の前記粘着剤コーティング（６）は前記目打ち領域（４）に設けられている、請求項８に記載のテープ。
【請求項１０】
前記目打ち開口部（５）は、前記支持層（１）と、テープ上面にある、前記支持層（１）の少なくとも一部の前記粘着剤コーティング（６）と、剥離可能な前記カバーフィルム（７）とを貫いている、請求項８または９に記載のテープ。
【請求項１１】
前記テープの少なくとも１つの中央区域は非接着性に構成されており、有利には前記粘着剤コーティング（２）および／または前記粘着剤コーティング（６）なしに構成されている、請求項１から１０のいずれかに記載のテープ。
【請求項１２】
前記テープの長手方向に延びる第１の折畳みエッジ（９）に沿って前記テープの少なくとも１つの第１の折畳み区域（８）が横方向に折畳まれており、有利には前記カバーフィルム（３）は少なくとも１つの第１のスリット（１０）を有しており、有利には第１の折畳みエッジ（９）は前記スリット（１０）とは異なる個所に延びている、請求項１から１１のいずれかに記載のテープ。
【請求項１３】
前記第１の折畳み区域（８）は前記目打ち領域（４）である、請求項１２に記載のテー
プ。
【請求項１４】
前記第１の折畳み区域（８）は前記目打ち領域（４）と向かい合う区域である、請求項１２に記載のテープ。
【請求項１５】
前記テープは、前記テープの長手方向に延びる第２の折畳みエッジ（１２）に沿って横方向に折畳まれた第２の折畳み区域（１１）を有している、請求項１から１４のいずれかに記載のテープ。
【請求項１６】
前記カバーフィルム（３）は前記テープの長手方向に少なくとも１つの第２のスリット（１３）を有している、請求項１から１５のいずれかに記載のテープ。
【請求項１７】
前記第２の折畳みエッジ（１２）は前記カバーフィルム（３）の前記第２のスリット（１３）と一致している、請求項１５または１６に記載のテープ。
【請求項１８】
前記第２の折畳みエッジ（１２）は前記カバーフィルム（３）の前記第１のスリット（１０）および／または前記第２のスリット（１３）と一致していない、請求項１５または１６に記載のテープ。
【請求項１９】
前記第１の折畳みエッジ（９）は前記カバーフィルム（３）の前記第２のスリット（１３）と一致していない、請求項１６に記載のテープ。
【請求項２０】
前記カバーフィルム（３）の縁部区域（１４）は前記第１の折畳みエッジ（９）および／または前記第２の折畳みエッジ（１２）から突出している、請求項１から１９までのいずれか１項、もしくは請求項２から６のいずれかに記載のテープ。
【請求項２１】
前記第１の折畳み区域（８）と前記第２の折畳み区域（１１）は前記テープのそれぞれ向かい合う縁部区域である、請求項１４から１６のいずれかに記載のテープ。
【請求項２２】
前記第１の折畳み区域（８）と前記第２の折畳み区域（１１）は前記テープの横方向で見て互いに接している、請求項１５から２１のいずれかに記載のテープ。
【請求項２３】
前記第１の折畳み区域（８）と前記第２の折畳み区域（１１）は少なくとも部分的に相上下して位置している、請求項１５から２２のいずれかに記載のテープ。
【請求項２４】
前記第１の折畳み区域（８）の領域および／または前記第２の折畳み区域（１１）の領域でテープ下面がテープ下面の上に載っている、請求項１３から２４のいずれかに記載のテープ。
【請求項２５】
前記第１の折畳み区域（８）の領域および／または前記第２の折畳み区域（１１）の領域でテープ上面がテープ上面の上に載っている、請求項１３から２３のいずれかに記載のテープ。
【請求項２６】
前記粘着剤コーティング（２）の少なくとも一部は前記カバーフィルム（３）で覆われていない、請求項１から２５のいずれかに記載のテープ。
【請求項２７】
前記粘着剤コーティング（２）は少なくとも前記第１の折畳み区域（８）の領域および／または前記第２の折畳み区域（１１）の領域において前記カバーフィルム（３）で覆われていない、請求項２６に記載のテープ。
【請求項２８】
前記支持層（１）は紙、プラスチック、織物、不織布の群に属する材料、もしくはこれらの材料の少なくとも２つの組み合わせでできており、および／または、前記粘着剤コーティング（２）および／または前記粘着剤コーティング（６）は粘着性のアクリレート接着剤、ゴム接着剤、ブチル接着剤、ホットメルトの群に属しており、もしくはこれらの接着剤の少なくとも２つの組み合わせである、請求項１から２７のいずれかに記載のテープ。
【請求項２９】
前記粘着剤コーティング（２）および／または前記粘着剤コーティング（６）の厚さは最大で０．５ｍｍであり、有利には前記厚さは０．３ｍｍ以下である、請求項１から２８のいずれかに記載のテープ。
【請求項３０】
少なくとも前記支持層（１）は前記テープの長手方向に対して横向きに手で引裂き可能であるような性質を備えている、請求項１から２９のいずれかに記載のテープ。
【請求項３１】
折畳まれた状態で巻き取られて接着テープロールになっている、請求項１から３０のいずれかに記載のテープ。
【請求項３２】
前記ロールの少なくとも前記第１の折畳みエッジ（９）の側に中間層が設けられている、請求項３１に記載のテープ。
【請求項３３】
折畳まれていない状態のときに、かつ前記予備伸張部が引き伸ばされていないとき／広げられていないときに幅が少なくとも３ｃｍであり、有利には３ｃｍから５０ｃｍの範囲内の幅、さらに有利には４ｃｍから３０ｃｍの範囲内の幅、もっとも多くの場合に有利には４．５ｃｍから２０ｃｍの範囲内の幅を有している、請求項１から３２のいずれかに記載のテープ。
【請求項３４】
前記支持層（１）の少なくとも一方の面は、塗壁材料に対して優れた付着特性を有する、特に連続気泡をもつ材料でできている、請求項１から３３のいずれかに記載のテープ。
【請求項３５】
前記テープは横方向で少なくとも１つの目打ち領域（４）の後に続いて、水蒸気透過性の第１のテープ区域と、水蒸気不透過性の第２のテープ区域とを有している、請求項１から３４のいずれかに記載のテープ。
【請求項３６】
前記テープは横方向で少なくとも１つの目打ち領域（４）の後に続いて、水蒸気不透過性の第１のテープ区域と、水蒸気透過性の第２のテープ区域とを有している、請求項１から３４のいずれかに記載のテープ。
【請求項３７】
請求項１から３６のいずれかに記載の特徴を備えるテープの利用法において、特に家屋建築における窓枠やドア枠などの枠組み構成部品と、ファサード開口部や屋根開口部との間の継目、特にコーナーやエッジの継目を閉止、密閉、接着するための利用法。
【発明の詳細な説明】
【技術分野】
【０００１】
本発明は、テープ上面にある支持層と、テープ下面にある、支持層の少なくとも一部の粘着剤コーティングと、テープ下面にある、粘着剤コーティングの剥離可能なカバーフィルムとを備える、特に家屋建築における継目、特にコーナーやエッジの継目を閉止、封止、接着するための粘着テープに関するものである。
【背景技術】
【０００２】
一般に接着テープは、たとえばドアや窓といった家屋建築のさまざまな建築部材を壁開口部へ挿入し、その際に建築部材と対応する壁開口部との間に生じる継目を閉止するときに用いられており、このことは、特にこのような建築部材を建物の外壁に組み付ける場合には、相応の封止作用を得るために行わなければならない。
【０００３】
このような粘着テープの一般的な問題点の１つは、手がとどきにくい領域でも、できるだけ複雑ではない利用法で、それにもかかわらず良好な封止作用をこのようなテープの正しい取付によって実現し、それにより、できるだけ空気や湿気を通さない継目の閉止を実現することにある。このとき、特に閉止されるべき継目の幅は建築現場の取付状況に応じて著しく相違している可能性があり、そのために、常に適切なテープ幅（場合によっては、たとえば窓等が組み付けられる場合には区域ごとにテープ幅が変化することもあり、このことは封止作用を低下させる可能性がある）を採用できるようにするためには、幅の異なる多数のテープを用意しておかなければならないことになる。また、あらゆる状況のもとで満足のいく封止作用を確保するためには、たとえば壁構造などの壁へのテープの確実な固着も保証されていなくてはならない。このとき、場合によりテープの利用できる幅が狭すぎるせいで、塗り込まれるべき目打ちされた領域が上塗りされないまま残り、そのために、目打ちの露出部分が封止作用を妨げてしまうという事態が生じてはならない。
【０００４】
本件出願人のドイツ特許出願公開第１０１３５７９９Ａ１号（特許文献１）は、適切な組立用テープディスペンサを備える、改善された継目封止をするための組立用接着テープを示しており、この組立用テープはテープ下面に、剥離可能なカバーフィルムをテープ下面に備える、テープ上面の支持層の上に設けられた接着層を有している。カバーフィルムはテープの長手方向に延びるスリットを有しており、テープはこのスリットに沿って横方向に一度だけそれ自体の上に折り畳まれており、カバーフィルムの少なくとも一部が外側に位置するように、すなわちテープ上面に位置するようになっている。さらにこのテープは、目打ちされた少なくとも１つの側方の長手区域を有している。カバーフィルムで被覆されているので輸送時や利用時に比較的内部で滑りやすい組立用接着テープを、巻き取られた形態のまま確実に取り扱えるようにするために、組立用接着テープの収容と吐出をするための専用の組立用テープディスペンサが設けられている。カバーフィルムのスリットに沿った組立用接着テープの個々の折り畳み部分は、手のとどきにくい領域でも、この公知の組立用接着テープを効率的に接着可能であることを可能にする。スリットに沿った一重の折り畳みによって確実な加工作業が可能であるが、加工時には必ずまず初めに折り畳みエッジのスリットに沿って、前記組立用接着テープの本来の取付前にカバーフィルムを除去しなくてはならない。また、特定の利用ケースでは、特に空間的な状況が非常に狭い場合には、取扱性をいっそう最適化することが望まれる。
【０００５】
同一権利者のドイツ特許第１０３３７８８０号（特許文献２）は、特に家屋建築で継目封止をするのに用いられ、第１の折り畳みエッジに沿って折り畳まれた少なくとも１つの第１の折り畳み区域を有する組立用テープを記載しており、この場合、粘着剤コーティングのカバーフィルムは、第１の折り畳みエッジとは異なる個所に延びる、少なくとも１つ
の第１のスリットを有している。このテープは、第２の折り畳みエッジに沿って折り畳まれた第２の折り畳み区域も有していてよい。テープの目打ち領域が設けられていてよい。
【０００６】
ドイツ実用新案第２０１２１２５３Ｕ１号（特許文献３）は、枠組み構成部品に対する接着接合性を備える、たとえば窓枠などの枠組み構成部品と壁構造との間における、複数の区域からなる多成分のテープ状の接合部材を記載しており、この場合、取付状態のときに枠組み構成部品を取り囲んでこれと接する壁構造との接合は、永久接着剤のストライプを介して実現される。壁構造および／または枠組み構成部品に場合により生じる膨張を補償するために、緩めることが可能な予備延長部が設けられている。
【特許文献１】ドイツ特許出願公開第１０１３５７９９Ａ１号
【特許文献２】ドイツ特許第１０３３７８８０号
【特許文献３】ドイツ実用新案第２０１２１２５３Ｕ１号
【発明の開示】
【発明が解決しようとする課題】
【０００７】
本発明の課題は、従来技術の欠点を克服し、特に、簡単かつそれに伴う低コストな構成にもかかわらず、特に空間的に困難ないし狭隘な状況のもとで封止されるべき継目の幅が変化しているときでも、いっそう改善された取扱性と同時に最善の封止作用を発揮する、特に家屋建築における継目、特にコーナーやエッジの継目を閉止、封止、接着するための粘着テープを提供することである。
【課題を解決するための手段】
【０００８】
この課題は、請求項１に記載の粘着テープによって解決される。
有利な実施形態や発展例は、従属請求項に定義されている。
【０００９】
たとえば壁構造と窓枠などの枠組み構成部品の間で、あるいはたとえば乾式工法の壁や互いに突き合わされた壁などの相互間で、特に特別に手がとどきにくい家屋建築の継目、特にコーナーやエッジの継目を閉止、密閉、接着するための本発明の粘着テープは、テープ上面にある支持層と、テープ下面にある、支持層の少なくとも一部の粘着剤コーティングと、テープ下面にある、粘着剤コーティングの剥離可能なカバーフィルムとを有している。このときテープ下面とは、本発明のテープを使用したときに、取付状態で通常たとえば枠組み構成部品に取り付けることができる面である。本発明によれば、テープは少なくとも一方の縁部領域に少なくとも１つの目打ち領域を有しており、そこでは少なくとも支持層が目打ちされており、このテープは少なくとも１つの予備伸張部（Ｄ）を有している。有利には相上下して、および／または相並んで複数の予備伸張部（Ｄ）が設けられていてもよい。予備伸張部（Ｄ）は、利用ケースの必要に応じて、少なくとも区域的または全体的に引き伸ばし可能および／または折り畳みを広げることが可能である。少なくとも１つの目打ち領域は本発明によれば塗り込み領域であり、ないしは、壁構造ないし壁の化粧塗りとの恒久的な接合のために上塗りすることができる塗り込み領域である。したがって、目打ち領域の目打ち開口部はこの目的のために、場合により壁の化粧塗りが少なくとも部分的に入り込むことができる相応の凹部が生じるのに十分な大きさであるのがよい。したがってこの塗り込み領域は、水または風を通さないように構成されていなくてよい。
【００１０】
本発明によれば、テープは、平均直径が有利には少なくとも３ｍｍである目打ち開口部を備えた少なくとも１つの目打ち領域を有している。このようにして、たとえばテープの少なくとも１つの目打ち領域を上塗り可能であることを確保することができ、それにより、テープの封止作用を脅かすことなく、格別に良好な定着が得られる。このとき、少なくとも１つの目打ち領域は少なくともテープの一方の縁部領域に構成されているが、テープの両方の縁部領域に相応の目打ち領域を設けることも可能である。特に、目打ち領域として構成されていてよい相応の縁部領域は、テープの相応の第１または第２の折り畳み区域
に対応していてよい。しかしながら、有利には目打ちがなされていないのがよい少なくともテープの中央帯状部は、利用ケースに応じて、最善の封止作用を確保するために、封止されるべき継目の最大幅よりも幅広であるのがよい。最善の封止作用は、本発明に基いて予備伸張部（Ｄ）を設けることによって、どのような取付条件のもとでも可能となり、すなわち、封止されるべき継目の幅が著しく変動する場合でも可能となる。予備伸張部（Ｄ）を引き伸ばすこと、および／または折り畳みを広げることは、継目幅に合わせた調節を可能にし、さまざまな幅をもつ種々のテープを用意しておいて、そのようなテープを場合により区域的に高いコストのかかる作業ステップで組み合わせて取り付ける必要性はなく、また、そのような仕方はあらゆるケースで最善の封止作用を生むものでもない。予備伸張部（Ｄ）によって意図される本発明のテープのフレキシビリティと調節可能性は、他ならぬ本発明の目打ち領域との組み合わせにおいても、この目打ち領域が壁構造への確実な接合を常に保証することができ、封止されるべき継目の幅が比較的広い場合に、取付状態で目打ち領域の一部だけが壁構造と接合されるのではないことを保証する。本発明では、目打ち領域によって、封止されるべき継目の幅領域で非密閉性が生じ得ないことを必ず確保することができるので、封止作用も改善される。予備伸張部（Ｄ）が継目幅に合わせた調節を可能にするので、相応の目打ち領域を常に全面的かつ確実に壁構造と接合することができるからである。本発明によるテープの目打ちされた長手区域がテープの少なくとも一方の縁部領域にあり、中央帯状部は有利には目打ちがなされないままであることによって、封止されるべき継目が相応に構成された粘着テープで覆われていれば、目打ち開口部が非密閉性につながることが防止される。予備伸張部（Ｄ）は、前述したように、封止されるべき継目のさまざまな幅に合わせた本発明のテープの簡単な調節を可能にする。
【００１１】
目打ち開口部は、支持層、粘着剤コーティング、および剥離可能なカバーフィルムを貫通しているのが好ましく、すなわち、本発明の有利な実施形態では支持層、粘着剤コーティング、および剥離可能なカバーフィルムは、相応に貫通する目打ち開口部で目打ちされている。このような目打ち開口部は、相応の打抜きによって低いコストで格別に容易に製造可能であり、このことは好都合な製造費用につながる。この場合、一般にカバーフィルムないし支持層は、目打ち工具が粘着テープの接着剤層と接触するのを妨げる。しかしながら一般的には、カバーフィルムで覆われていない領域で接着テープに目打ち開口部を設けることも可能である。
【００１２】
目打ち開口部は実質的に円形、方形、または楕円形に構成されているのが好ましい。
予備伸張部（Ｄ）はテープの横方向で目打ち領域から間隔をおいているのが好ましい。それにより、目打ち領域の領域において、本発明によるテープの壁構造への定着（特にそれによって格別に簡単に行うことができる上塗り）が格別に保証される。
【００１３】
予備伸張部（Ｄ）はテープの横方向で見て実質的に中央に配置されているのが格別に好ましい。
【００１４】
予備伸張部（Ｄ）はテープの少なくとも１つのＺ状折畳み部であるのが好ましく、テープのプリーティングであるのがいっそう好ましい。多重のＺ状折畳み部も可能である。
【００１５】
本発明によるテープの有利な実施形態では、支持層の少なくとも一部の（別の第２の）粘着剤コーティングがテープ上面に設けられていてよく、このテープ上面の粘着剤コーティングの剥離可能なカバーフィルムとともに設けられていてよい。テープ上面にある、支持層の少なくとも一部の（別の第２の）粘着剤コーティングは、目打ち領域に設けられているのが格別に好ましい。それにより、このような有利に構成された本発明のテープの加工性を、利用ケースに応じていっそう改善することができる。
【００１６】
目打ち開口部は、支持層と、テープ上面にある、支持層の少なくとも一部の粘着剤コー
ティングと、剥離可能なカバーフィルムとを貫通しているのが好ましい。
【００１７】
本発明によるテープの有利な実施形態では、テープの少なくとも１つの中央区域は非接着性に構成されており、粘着剤コーティングおよび／または別の第２の粘着剤コーティングを備えていないのがいっそう好ましい。利用ケースによっては、少なくとも１つの目打ち領域も（希望する場合にはさらに中央区域と組み合わせて）非接着性に構成されていてよい。
【００１８】
有利な実施形態に基づく本発明によるテープのテープ下面にある粘着剤コーティング、および／またはテープ上面にある別の第２の粘着剤コーティングが、有利には実質的に中央に配置された非接着性の中央帯状部を有していると、このことは、互いに直角に突き合わされた２つの建築部材の間の継目の接着を格別に容易にする。それにより、他ならぬこのような建築部材の突合せ領域で、ひだ部分との傾いた接着が簡単なやり方で防止されるからである。このとき、テープの両方の縁部領域を相応に接着することができるので、封止作用は全面的に維持される。
【００１９】
本発明によるテープの別の有利な実施形態では、テープの少なくとも１つの第１の折畳み区域はテープの長手方向に延びる第１の折畳みエッジに沿って横方向に折畳まれており、カバーフィルムは少なくとも１つの第１のスリットを有しているのが好ましく、第１の折畳みエッジは第１のスリットとは異なる個所に延びているのがいっそう好ましい。
【００２０】
この場合、第１の折畳み区域は少なくとも１つの目打ち領域であり、または、第１の折畳み区域は少なくとも１つの目打ち領域と向かい合う区域であるのが好ましい。
【００２１】
第１の折畳みエッジに沿ったテープの折畳み部と、第１の折畳みエッジとは異なる個所に延びる第１のスリットとを本発明に基づいて有利に組み合わせることにより、特定の条件のもとで、テープのいっそう改善された加工性が得られる。事前の折畳みにより、一方ではコーナーやエッジへの取付が簡単になるのに対して、スリットを設けることは、カバーフィルムを粘着剤コーティングから区域ごとに除去し、そのような接着区域でテープをたとえば封止されるべき窓枠と接着するという可能性を提供する。スリットと折畳みエッジが一致していないことにより、本発明によるテープの固着されるべき領域だけでカバーフィルムの対応区域を除去すればよく、それに対して、折畳みエッジは接着区域から間隔をおいて延びているという利点が得られる。このことは、特にコーナーをまたいで取付が行われ、このコーナーが、テープが接着されるべき建築部材の領域とは異なる個所に延びているような場所で利点を提供する。すなわち、このような特殊な幾何学条件のもとでは、上記のように構成された本発明の粘着テープは加工性がいっそう改善されるという利点を提供し、それによって取付の確実性が保証され、したがって、どのような状況のもとでも封止作用が保証される。
【００２２】
本発明による有利なテープは、たとえば乾式工法および／またはコンクリート構造で使用することができる。特に空間的に手がとどきにくい個所、たとえば互いに突き合わされた２つの乾式工法建造物の壁にはさまれた９０°のコーナーや、本発明のテープを可能な限り正確に窓枠に接着することができる窓領域でも、後の塗装工程で塗装工のこてが当たることによってテープが引き裂かれ、そのために機密性が失われるというリスクが回避される。このとき事前の折畳み部は、特に、複数の窓枠が挿入された比較的広い窓面が、家屋の新築工事で外壁に嵌め込まれるべき場合に、利用者にとって多くの時間の節約となる。普通であれば相応の折畳みを手作業で行わなくてはならないが、本発明ではそれは不要である。本発明による接着テープを木造建築物で使用するときには、互いに接する建築部材の間で発生する継目幅が細いので、封止テープの個々の区域ないし縁部区域を接着するだけで十分であり、その結果、本発明に基づいて相応に配置された適切な１つのスリット
ないし適切な複数のスリットによって、本発明によるテープのきわめて正確かつ迅速な加工性が可能となる。
【００２３】
テープの長手方向に延びる第２の折畳みエッジに沿って横方向に折畳まれた第２の折畳み区域をテープが有している本発明の実施形態が好ましい。この第２の折畳み区域により、たとえば複数のＵ形材の間で適用する場合に、相応に構成された粘着テープを簡単なやり方で使用することが可能である。
【００２４】
本発明によるテープのカバーフィルムは、テープの長手方向に少なくとも１つの第２のスリットを有しているのが好ましい。それにより、カバーフィルムをテープ下面から、ないしテープ下面の粘着剤コーティングから、区域ごとに適宜除去するための少なくとも１つの別の選択肢が得られる。そのようにして２つの付着区域を設け、それに対して、有利に構成された本発明のテープの１つの区域、たとえば建築部材と本来の壁ないし壁構造との間に位置する中央領域は、カバーフィルムで覆われたまま残しておくという可能性が生まれる。
【００２５】
本発明の別の有利な実施形態では、第２の折畳みエッジはカバーフィルムの第２のスリットと一致する。それにより、第２の折畳み区域から粘着層コーティングのカバーフィルムを剥離し、その組立用テープを第２の折畳み区域の領域で接着するという可能性が得られる。
【００２６】
しかしながら、さらに別の有利な実施形態では、第２の折畳みエッジがカバーフィルムの第１のスリットおよび／または第２のスリットと一致していないことも可能である。このようにして、カバーフィルムを必ずしも第１のスリットおよび／または第２のスリットに沿って第２の折畳み区域全体から除去しなくてもよい、フレキシブルな構成の可能性が生れる。このように、特に相応に設けられたスリットによって、第２の折畳み区域の一部だけがカバーフィルムをそこで剥離することを許容する、さまざまな所与の条件に合わせた個別的な調節が可能である。
【００２７】
有利には第１の折畳みエッジがカバーフィルムの第２のスリットと一致していない本発明の実施形態についても、上記と同様のことが当てはまる。
【００２８】
一致していない１つまたは複数の折畳みエッジと１つまたは複数のスリットは、それぞれ隣接する相手に対して１ｍｍから２５ｃｍの範囲内の相互間隔を有しているのが好ましい。
【００２９】
本発明の有利な実施形態では、カバーフィルムの縁部区域は第１の折畳みエッジおよび／または第２の折畳みエッジから突出している。このようにして、前述の縁部区域を持って握ることによってカバーフィルムの除去を簡単なやり方で可能にする、１つないし２つの握り区域が生じることになる。このことは、本発明による粘着テープの取扱性をさらに追加的に容易にする。このような１つまたは複数の区域は、１ｍｍから１ｃｍの範囲内の幅を有しているのが好ましい。
【００３０】
個別的な利用状況によっては、それぞれの折畳み区域を別様に配置するのが加工性にとって格別に好ましい場合がある。
【００３１】
本発明の有利な実施形態では、第１の折畳み区域と第２の折畳み区域は、本発明によるテープのそれぞれ向かい合う縁部区域であってよいが、本発明の別の有利な実施形態では、第１の折畳み区域と第２の折畳み区域がテープの横方向で見て互いに接していることも可能である。また、別の有利な実施形態では、第１の折畳み区域と第２の折畳み区域は、
テープが折畳まれた状態のとき、少なくとも部分的に相上下して位置している。
【００３２】
本発明の別の有利な実施形態では、第１の折畳み区域の領域および／または第２の折畳み区域の領域でテープ下面がテープ下面の上に載っていてよいが、さらに別の有利な実施形態では、第１の折畳み区域の領域および／または第２の折畳み区域の領域でテープ上面がテープ上面の上に載っていることも可能である。
【００３３】
粘着剤コーティングの少なくとも一部がカバーフィルムで覆われていない本発明の実施形態が格別に好ましい。本発明によるテープの粘着剤コーティングのカバーフィルムで覆われていない部分に沿って、敷設工程中に初めてカバーフィルムを苦労して除去しなくてもすみ、それにより、本発明によるテープのいっそう迅速な加工性が得られる。普通であれば必要となるフィルムの剥離によって、これに接着されたテープに歪みや皺が発生する場合があるが、それも上記によって防止される。また、本発明に基づいて構成されたこのようなテープは、テープを収容して吐出するための追加の組立用テープディスペンサを必要としない。この有利な実施形態に基づく本発明のテープは、折畳まれた状態ないし巻取られた状態のとき、粘着剤コーティングが部分的にカバーフィルムがないままに保たれているので、それ自体の内部で位置がずれることがないからである。したがって、テープを格別に簡単かつ確実に使用可能である。また、このようにして特別な包装コストや防護コストをかけることなく、テープを加工者によって相応の使用場所ないし建設現場に持ち運ぶことができる。
【００３４】
本発明の有利な実施形態では、テープの粘着剤コーティングは、少なくとも第１の折畳み区域の領域および／または第２の折畳み区域の領域でカバーフィルムにより覆われていない。すなわち、本発明によるテープの１つないし複数の折畳まれた領域はカバーフィルムを支持していないのが好ましい。このようにして、たとえばエッジやＵ形材などの空間的に狭い状況のもとで、たとえばカバーフィルムを剥がしたり、苦労して折り畳んだりする他の補助手段や作業ステップを要することなく、この１つまたは複数の領域を簡単にたとえばロールから直接巻き出してこすりつけることができ、それにより、いっそう簡素化された加工性で、信頼度の高い封止作用が得られる。このように単純な形態の加工は、これまでの従来技術のテープを使用する場合に比べ、最大で作業時間の半分を節約する。
【００３５】
第１および／または第２の折畳み区域のそれぞれの幅、または各折畳み区域の幅は、折畳まれていないテープ領域の幅よりも細くなっているのが好ましい。また、第１および／または第２の折畳み区域のそれぞれの幅、または各折畳み区域の幅は、折畳まれていないテープ領域の幅と等しい幅、もしくは実質的に等しい幅を有しているのも好ましい。第１および／または第２の折畳み区域のそれぞれの幅、または各折畳み区域の幅は、折畳まれていないテープ領域の幅よりも広い幅を有しているのも好ましい。第１および／または第２の折畳み区域のそれぞれの幅、または各折畳み区域の幅は、有利には少なくとも３ｍｍ、さらに有利には少なくとも８ｍｍ、なおいっそう有利には少なくとも１２ｍｍであってよく、および／または、さらに有利には折畳まれていないテープ領域の幅に対応していてよく、および／または、さらにいっそう有利には折畳まれていないテープ領域の幅よりも広くてよい。
【００３６】
不都合な気象の影響要因（寒冷、湿度）のもとでも、さまざまな材料への本発明の粘着テープの確実な付着を保証するために、および、どのような状況のもとでも本発明による粘着テープのできるだけ信頼度の高い封止作用を実現するために、有利な実施形態では、支持層は紙、プラスチック、織物、不織布の群に属する材料、もしくはこれらの材料の少なくとも２つの組み合わせでできており、および／または、テープ下面にある粘着剤コーティングおよび／または場合によりテープ上面にある粘着剤コーティングは、粘着性のアクリレート接着剤、ゴム接着剤、ブチル接着剤、ホットメルトの群に属する少なくとも１
つの材料、もしくはこれらの接着剤の少なくとも２つの組み合わせでできているのが好ましい。
【００３７】
一般に、（たとえばドイツ実用新案第２０１２１２５３Ｕ１号（特許文献３）に記載されているような）接着剤素材は、多孔性の壁またはくり抜きのある壁に十分に接着するためには十分な厚さ／質量で塗布しなくてはならず、そのうえ、老化が進むにつれて接着力を失っていく傾向がある。他方、本発明による粘着剤は、多孔性の壁またはくり抜きのある壁での恒久的な最終接着とこれに伴う封止性を保証するために、十分な厚さ／質量で塗布することはできない。したがって本発明の粘着剤は、有利な実施形態では、上塗りが塗布され、目打ちによりその下にある壁構造との恒久的な接合が確保されるまでの、加工者のための補助組立具として利用される。
【００３８】
本発明によれば、１つの粘着剤コーティングおよび／または複数の粘着剤コーティングの厚さは最大で０．５ｍｍであるのが好ましく、０．３ｍｍ以下の厚さがいっそう好ましい。
【００３９】
有利な実施形態によれば、少なくとも支持層がテープの長手方向に対して横向きに手で裂け目を入れることができるような性質をテープが備えていると、本発明によるテープの加工性が格別に簡素化される。カバーフィルムも、テープの長手方向に対して横向きに手で裂け目を入れることができるのが好ましい。そのようにして、工具を用いることなく、敷設をするときのテープの切断を簡単なやり方で行うことができる。
【００４０】
テープが折畳まれた状態で巻き取られて接着テープロールになっている、有利な実施形態に基づく本発明の粘着テープは格別に容易に取り扱うことができる。この接着テープロールは、追加のディスペンサがなくても、使用中に現場で格別に容易に取扱可能である。
【００４１】
本発明によるテープの有利な実施形態では、少なくともロールの第１の折畳みエッジの側に中間層が設けられており、場合によりこの中間層によって、テープの本来の使用をする前に、第１の折畳みエッジの領域での接着が防止される。この中間層は、第１の折畳みエッジの領域で、場合によりそこで露出している粘着剤コーティングを確実に被覆するので、テープの使用前にそこで汚れが蓄積されることも確実に回避される。したがって、本発明に基づいて有利に構成されたテープの加工性がそれによりいっそう改善される。
【００４２】
本発明によるテープは、折畳まれていない状態のときに、かつ予備伸張部（Ｄ）が引き伸ばされていない状態／広げられていない状態のときに、少なくとも３ｃｍの幅を有しているのが好ましく、さらに有利には３ｃｍから５０ｃｍの範囲内の幅、いっそう有利には４ｃｍから３０ｃｍの範囲内の幅を有しており、もっとも多くの場合、４．５ｃｍから２０ｃｍの範囲内の幅を有しているのが好ましい。このような寸法は、一方では、若干幅の広い継目でも確実に封止することを可能にするとともに、他方では、本発明によるテープの広すぎる幅のせいで取扱性が難しくなり、そのために本発明のテープの敷設時に皺ができてしまい、それによって非密封性が生じることが防止される。そして必要な場合には、（引き伸ばされていないとき／広げられていないときの）１から２０ｃｍの幅を、引き伸ばされた状態／広げられた状態ではたとえば２倍または３倍または４倍にすることができる予備伸張部（Ｄ）を活用することで、継目の幅が変動している場合でも、本発明によるテープの封止作用のある加工を確実かつ高い信頼度で行うことができる。
【００４３】
本発明の別の有利な実施形態では、支持層の少なくとも一方の面は、塗壁材料に対して優れた付着特性を有する、特に連続気泡をもつ材料でできていてよい。それにより、壁塗の下地に対するテープの付着作用が追加的に改善され、このように構成されたテープから壁塗材料の各部が剥がれることが確実に防止される。
【００４４】
本発明の別の有利な実施形態では、テープは横方向で少なくとも１つの目打ち領域の後に続いて、水蒸気透過性の第１のテープ区域と、水蒸気不透過性の第２のテープ区域とを有している。
【００４５】
本発明の別の有利な実施形態では、テープは横方向で少なくとも１つの目打ち領域の後に続いて、水蒸気不透過性の第１のテープ区域と、水蒸気透過性の第２のテープ区域とを有している。
【００４６】
上に説明した本発明のテープは、たとえば家屋建築における窓枠やドア枠などの枠組み構成部品と、ファサード開口部や屋根開口部との間の継目、特にコーナーやエッジの継目を閉止、密閉、接着するために、本発明に基づいて利用することができる。
【発明を実施するための最良の形態】
【００４７】
次に、図面に一例として示された本発明の実施形態を参照しながら、本発明について詳しく説明する。
【００４８】
全般的なことを断っておくと、図１と図２の図面は縮尺どおりではなく、本発明によるテープの実施形態の構造と形態をあくまでも模式的に示すものである。特に個々の層の厚さの比率は、縮尺どおりに再現されてはいない。一般に本発明によるテープは、折畳まれていない状態のとき、かつ予備伸張部（Ｄ）の折畳みが広げられていないとき／引き伸ばされていないときに、少なくとも３ｃｍの幅を有しているのが好ましい。目打ち開口部は少なくとも３ｍｍの平均直径を有している。
【００４９】
図１は、本発明による粘着テープの有利な第１の実施形態を、テープの横方向に沿った模式的な断面図として示している。図１に示す本発明のテープは、テープ上面にある支持層１と、テープ下面にある、支持層１の粘着剤コーティング２と、テープ下面にある剥離可能なカバーフィルム３とを有している。テープ下面は図１では上に図示されており、テープ上面が下になっている。テープ上面にある支持層１の少なくとも一部の（別の第２の）粘着剤コーティング６が、テープ上面にあるこの粘着剤コーティング６の剥離可能なカバーフィルム７とともに設けられている。このテープは、本発明に基づき、テープの一方の縁部領域に目打ち開口部５を備える目打ち領域４を有している。目打ち開口部５は、支持層１、粘着剤コーティング２、および剥離可能なカバーフィルム３を貫いて延びている。さらにこのテープは、本発明に基づき、テープの横方向で目打ち領域から間隔をおいて、折畳みを広げることが可能／引き伸ばし可能な予備伸張部（Ｄ）を有しており、この予備伸張部は、テープの横方向で見て実質的に中央に配置されており、ここに図示するように、テープの一重のＺ状折畳み部として構成されている。テープの複数のＺ状折畳み部を相上下して、または相並んで設けることもでき、および／またはテープのプリーティングが予備伸張部（Ｄ）として意図されていてもよい。
【００５０】
図２は、本発明によるテープの横方向に沿った模式的な断面図で、本発明の第２の実施形態を示している。図２では、本発明の同じ部材には同じ符号が付されている。図２に示す本発明の実施形態は、基本的には図１に示す実施形態に呼応しているが、本例（図２）では、カバーフィルム７を備える粘着剤コーティング６がテープ上面に設けられておらず、図２に示す実施形態ではテープの長手方向に延びる第１の折畳みエッジ９に沿ってテープの第１の折畳み区域８が横方向に折畳まれるとともに、テープの長手方向に延びる第２の折畳みエッジ１２に沿ってテープの第２の折畳み区域１１が横方向に折畳まれているという違いがある。カバーフィルム３の第１のスリット１０がテープの長手方向に設けられており、この第１のスリット１０は第１の折畳みエッジ９とは一致していない。カバーフィルム３の第２のスリット１３がテープの長手方向に設けられており、この第２のスリッ
ト１３は第２の折畳みエッジ１２とは一致していない。カバーフィルム３の縁部区域１４は第２の折畳みエッジ１２から突出しており、それにより、カバーフィルム３を剥がすための握り区域としての役目を果たす。
【００５１】
図２に示す実施形態では、本発明によるテープは、第１の折畳み区域８が目打ち領域４と対応するように、それ自体の上に折畳まれている。
【図面の簡単な説明】
【００５２】
【図１】本発明のテープの第１の実施形態を示す、テープの横方向で見た断面図である。
【図２】本発明によるテープの第２の有利な実施形態を示す、テープの横方向で見た断面図である。
【符号の説明】
【００５３】
１  支持層
２  粘着剤コーティング
３  カバーフィルム
４  目打ち領域
５  目打ち開口部
６  粘着剤コーティング
７  カバーフィルム
８  第１の折畳み区域
９  第１の折畳みエッジ
１０  第１のスリット
１１  第２の折畳み区域
１２  第２の折畳みエッジ
１３  第２のスリット
１４  縁部区域
【図１】
2007138164.tif 000003
【図２】
2007138164.tif 000004